(57)【要約】      （修正有）【解決手段】頭足類捕獲用釣具に関するものであって、錘１００と、錘の上側に配置されて、錘を支持する錘支持部材２００と、錘支持部材に設けられて、釣糸が連結される通し孔５１０と、錘の周りに沿って配置されて、錘支持部材に着脱可能に結合される複数の針アセンブリー３００と、を含むことを特徴とする。【効果】飯蛸などのような頭足類の離脱を防止して確実に捕獲することができ、交換及び再使用による費用の大幅な節減をはかることができる。【選択図】図３
2014158459.tif 000002
【特許請求の範囲】
【請求項１】
錘と；
前記錘の上側に配置されて、前記錘を支持する錘支持部材と；
前記錘支持部材に設けられて、釣糸が連結される通し孔と；
前記錘の周りに沿って配置されて、前記錘支持部材に着脱可能に結合される複数の針アセンブリーと；を含むことを特徴とする頭足類捕獲用釣具。
【請求項２】
前記針アセンブリーは、
前記錘支持部材に着脱可能に挿入される締結部と；
一端部が前記締結部から傾斜するように折曲延長され、他端部が前記錘の上側に湾曲されるように折曲延長されて、前記錘に密着支持される針本体と；
前記針本体の端部から前記錘の上側へ先端が尖っている針部と；を含むことを特徴とする請求項１に記載の頭足類捕獲用釣具。
【請求項３】
前記錘の外周面には前記針本体の一領域が密着収容される複数の密着支持溝が凹まれて形成されていることを特徴とする請求項２に記載の頭足類捕獲用釣具。
【請求項４】
前記錘支持部材には前記締結部が挿入結合される複数の締結溝が形成されていることを特徴とする請求項２に記載の頭足類捕獲用釣具。
【請求項５】
前記針部の先端に下向きに傾斜するように突出された鉤をさらに含むことを特徴とする請求項１に記載の頭足類捕獲用釣具。
【請求項６】
前記錘はセラミックス、ステンレススチール、ステンレススチール合金の中の何れか１つで形成されることを特徴とする請求項１に記載の頭足類捕獲用釣具。
【請求項７】
前記錘支持部材には前記締結溝のそれぞれに挿入される金属材の保護管がさらに備えられ、
前記締結部の外周面は前記保護管の内周面に密着して固定されることを特徴とする請求項４に記載の頭足類捕獲用釣具。
【請求項８】
錘と；
前記錘の上面から突出されるネック部と；
前記ネック部の上端部に配置されて前記錘を支持する錘支持部材と；
前記錘支持部材に設けられて、釣糸が連結される通し孔と；
前記ネック部に貫通して結合されて、前記錘の上側を覆う弾性材質のキャップと；
前記錘の周りに沿って配置され、上端部が前記キャップに固定され、前記錘支持部材に着脱可能に結合される複数の針アセンブリーと；を含むことを特徴とする請求項１に記載の頭足類捕獲用釣具。
【発明の詳細な説明】
【技術分野】
【０００１】
本発明は頭足類捕獲用釣具に関するもので、さらに詳しくは、飯蛸などのような頭足類を確実に捕獲することができ、また、交換及び再使用による費用を大幅に低減することができる頭足類捕獲用釣具に関する。
【背景技術】
【０００２】
飯蛸、たこのような頭足類は通常岩間または貝殻内に棲息する習性を有するので、採集の時貝殻を利用するか、延縄、筌などの方法を利用して捕獲する。
【０００３】
即ち、飯蛸などの頭足類は、空のさざえの貝殻などの内部空間に体を隠す特性を有するので、捕獲にこのような空のさざえの貝殻などのような空の貝殻を広く使っているが、このような空の貝殻は破損、毀損されやすく、繰り返し使用が容易でない短所がある。
【０００４】
このような観点から図９のような頭足類捕獲用の釣具を使うようになる。
【０００５】
従来の釣具は、図示したように、下側に周り方向に釣針３０が所定間隔で配置されて一体に結合されて形成され、中心に上下に貫通される中孔２２が形成される錘２０と、錘２０の上面２４に位置するボール４０と、ボール４０と錘２０が固定されるようにする通し孔５０とを含む。
【０００６】
ところが、このような従来の釣具は、頭足類が釣針３０についている餌だけとって逃げやすいため、頭足類が釣針３０にかかっても、先が尖っているだけの釣針３０から簡単に体を抜き取って逃げる虞がある。
【０００７】
また、このような従来の釣具は、釣針３０が錘２０に一体に固定されているため、釣針３０が海藻類や網または海底の岩間に挟まれる場合、無理矢理に力を加えて釣糸を繰り上げることから、錘２０と錘支持部材４０を含む釣具全体が釣糸から離れるか損傷されて、釣具を再使用することができなくなり、頻繁に新しい製品に交替する必要があり、費用の負担も増大されるという問題がある。
【先行技術文献】
【特許文献】
【０００８】
【特許文献１】韓国特許出願第１０−２００８−００８３１９０号
【特許文献２】韓国実用新案出願第２０−２００５−０００３４６６号
【特許文献３】韓国実用新案出願第２０−２０１１−０００２７９３号
【特許文献４】韓国実用新案出願第２０−２０１１−０００７３３７号
【発明の概要】
【発明が解決しようとする課題】
【０００９】
本発明は上記のような問題点を改善するために発明されたもので、飯蛸などのような頭足類の離脱を防止して、確実に捕獲することができる構造の頭足類捕獲用釣具を提供することを目的とする。
【００１０】
また、本発明は交換及び再使用による費用を大幅に節減することができる頭足類捕獲用釣具を提供することを目的とする。
【課題を解決するための手段】
【００１１】
上記のような目的を達するために、本発明は、錘と；前記錘の上側に配置されて、前記錘を支持する錘支持部材と；前記錘支持部材に設けられて、釣糸が連結される通し孔と；前記錘の周りに沿って配置され、前記錘支持部材に着脱可能に結合される複数の針アセンブリーと；を含むことを特徴とする頭足類捕獲用釣具を提供する。
【００１２】
ここで、前記針アセンブリーは、前記錘支持部材に着脱可能に挿入される締結部と；一端部が前記締結部から傾斜するように折曲延長され、他端部が前記錘の上側に湾曲されるように折曲延長されて、前記錘に密着支持される針本体と；前記針本体の端部から前記錘の上側に先端が尖っている針部と；を含むことを特徴とする。
【００１３】
前記錘の外周面には前記針本体の一領域が密着収容される複数の密着支持溝が凹まれて形成されていることを特徴とする。
【００１４】
前記錘支持部材には前記締結部が挿入結合される複数の締結溝が形成されていることを特徴とする。
【００１５】
前記針部の先端に下向きに傾斜されるように突出された鉤をさらに含むことができる。
【００１６】
前記錘支持部材は球形状を有することを特徴とする。
【００１７】
また、前記錘は、セラミックス、ステンレススチール、ステンレススチール合金の中の何れか一つで形成されることが望ましい。
【００１８】
前記錘支持部材には、前記締結溝のそれぞれに挿入される金属材の保護管がさらに備えられ、前記締結部の外周面は前記保護管の内周面に密着固定されるようにしても構わない。
【００１９】
一方、本発明は他の実施例として、錘と；前記錘の上面から突出されるネック部と；前記ネック部の上端部に配置されて、前記錘を支持する錘支持部材と；前記錘支持部材に設けられて、釣糸が連結される通し孔と；前記ネック部に貫通して結合されて、前記錘の上側を覆う弾性材質のキャップと；前記錘の周りに沿って配置され、上端部が前記キャップで固定され、前記錘支持部材に着脱可能に結合される複数の針アセンブリーと；を含むことを特徴とする頭足類捕獲用釣具を提供することもできることは勿論である。
【発明の効果】
【００２０】
本発明によれば、以下のような効果を奏することができる。
【００２１】
まず、本発明は錘と錘支持部材の結合部位に沿って錘支持部材に着脱可能に結合される複数の針アセンブリーを含む構造を適用することによって、従来の釣具に比べて岩間や網または海藻類などに釣具がかかっても、複数の針アセンブリーの中から当該針アセンブリーのみ錘支持部材及び錘から分離されるので、新しい製品の交換による不必要な作業と費用及び時間を節約することができる。
【００２２】
また、本発明は、新しい針アセンブリーを結合させるだけで、何度も再使用が可能であるので、原資材の節減の側面で効率的である。
【００２３】
また、本発明は、針アセンブリーを形成する針部の先端に突出された鉤を備えることによって、頭足類が餌だけ奪取して逃げることと、捕獲されても簡単に体を抜き取って逃走することを防止して、確かな捕獲状態を保持することができるので、漁獲量の増大に役に立つことができる。
【００２４】
また、本発明は、従来の鉛で形成される錘の代りにセラミックス、ステンレススチールまたはステンレススチール合金中の一つまたは一つ以上の組合せで形成されるように製作することによって、耐腐食性も向上させることもでき、且つ、環境にやさしい製品の提供が可能である。
【図面の簡単な説明】
【００２５】
【図１】本発明の一実施例による頭足類捕獲用釣具の全体構造を示す斜視図である。
【図２】本発明の一実施例による頭足類捕獲用釣具の結合関係を示す分解斜視図である。
【図３】図２のＡ−Ａ’線分解断面概念図である。
【図４】本発明の一実施例による頭足類捕獲用釣具の主要部である針アセンブリーを錘支持部材及び錘に結合する過程を順次に示す斜視図である。
【図５】本発明の一実施例による頭足類捕獲用釣具の主要部である針アセンブリーを錘支持部材及び錘に結合する過程を順次に示す斜視図である。
【図６】本発明の一実施例による頭足類捕獲用釣具の主要部である針アセンブリーを錘支持部材及び錘に結合する過程を順次に示す斜視図である。
【図７】本発明の他の実施例による頭足類捕獲用釣具の主要部である針アセンブリーと錘支持部材の相互間の結合構造を示す分解斜視図である。
【図８】本発明のまた他の実施例による頭足類捕獲用釣具の結合構造を示す断面概念図である。
【図９】従来の頭足類捕獲用釣具の全体構造を示す斜視図である。
【発明を実施するための形態】
【００２６】
以下、添付された図面を参照して本発明の望ましい実施例について説明する。
【００２７】
説明に先立ち、各実施例において、同じ構成を有する構成要素に対しては同じ符号を用いて代表的に一実施例を説明し、それ以外の実施例では一実施例と異なる構成のみについて説明する。
【００２８】
図１は本発明の一実施例による頭足類捕獲用釣具の全体構造を示す斜視図である。
【００２９】
本発明の一実施例による頭足類捕獲用釣具は、錘１００の上部に装着された錘支持部材２００に複数の針アセンブリー３００が着脱可能に結合される構造であることを把握することができる。
【００３０】
錘１００は円筒状または針アセンブリー３００の確かな結合状態を保持するために、下部側に行くほど漸次に広くなる円錐状に製作されるようにし、頭足類を捕獲するための釣具の重量中心を取って海底面に安着されることができるようにする。
【００３１】
錘支持部材２００は錘１００の上側に配置されて、錘１００を支持する。
【００３２】
本実施例では、球形の錘支持部材２００が示されているが、錘支持部材２００の形状はこれに限定されない。
【００３３】
錘支持部材２００は、飯蛸、たこのような頭足類のよじ登る習性を利用して、容易に乗っかることができるように誘引する役割を果たす。
【００３４】
針アセンブリー３００は弾性力を有する棒状で、錘１００の周りに沿って配置されて、錘支持部材２００に着脱可能に結合される。
【００３５】
本実施例では、針アセンブリー３００が錘１００の周りに沿って等間隔に配置されて、錘１００の外周面に弾性反撥力で密着支持される。
【００３６】
そこで、複数の針アセンブリー３００の中の一つが海藻類や網または岩間にかかって抜けられない困難な状況に直面した場合、錘支持部材２００との結合力より強い外力で引っ張れば、海藻類や網または岩間にかかって抜けない針アセンブリー３００のみ錘支持部材２００から分離されることができる。
【００３７】
従って、上述したような困難な状況で、釣糸４００を切って釣具を全部捨てるか、釣糸４００が切れて釣具全部をなくしてしまうなどの問題の発生を予め防止することができる。
【００３８】
本発明は上記のような実施例の適用が可能であり、次のような多様な実施例の適用も可能であることは勿論である。
【００３９】
錘１００は、環境的な側面を考慮して、既存の鉛の代りに耐腐食性に強いながらも耐久性及び強度も優れたステンレススチール、ステンレススチール合金、セラミックス材質の中の何れか一つで製作されることができる。
【００４０】
一方、錘支持部材２００は合成樹脂で形成されるか、錘１００より硬度の低い材質で形成するようにし、合成樹脂で形成された表面に発光顔料を塗布するか、合成樹脂に発光顔料を混合して射出成形して製作されることができる。
【００４１】
針アセンブリー３００は、図２及び図３に示したように、締結部３１０と、針本体３２０と、針部３３０とを含む。
【００４２】
締結部３１０は錘支持部材２００に着脱可能に挿入されるもので、具体的には、錘支持部材２００と錘１００とが結合された部位に沿って、所定深さで錘支持部材２００の外周面に等間隔で凹まれて形成された締結溝２１０に結合される。
【００４３】
締結部３１０を締結溝２１０に挿入して容易に着脱可能に結合させることができるように、締結部３１０が錘１００の上面と成す角度θ１は６０〜７０度の範囲内で適切に設計することができる。
【００４４】
針本体３２０は、締結部３１０の端部から延長されて、弾性変形を許容しながら、錘１００の外周面に密着して固定され、第１連結部３２１と第２連結部３２２とを含む。
【００４５】
第１連結部３２１は直線状に形成され、締結棒３１０の端部から傾斜するように折曲延長されて、締結溝２１０に結合された締結部３１０に対して弾性変形を許容しながら、錘１００の外周面の上側に密着して固定される。
【００４６】
そして、第２連結部３２２は、第１連結部３２１から錘１００の上側へ円弧状に折曲して延長される。
【００４７】
針本体３２０の密着固定のために、錘１００の外周面の下側から錘１００の外周面下側辺縁まで錘１００の上下長さ方向に沿って密着支持溝１１０が凹まれて形成される。
【００４８】
従って、図２に示したように、針アセンブリー３００の締結部３１０は締結溝２１０に着脱可能に結合され、針本体３２０の第１連結部３２１は密着支持溝１１０に密着して収容され、締結溝２１０と密着支持溝１１０は一直線を成すことが望ましい。
【００４９】
密着支持溝１１０の下端部１１２は、図２及び図３に示したように、密着支持溝１１０の上端部１１１に対して錘１００の外周面から内側に向かって傾斜するように形成される。
【００５０】
また、針部３３０は針本体３２０の端部から錘１００の上側に先端が尖っている。
【００５１】
また、針部３３０には体の中の何れの部位がかかった頭足類が離脱されずに捕獲された状態を保持するように、針部３３０の先端から錘１００の外周面側を向けて下向きに傾斜するように突出された鉤３４０が形成されている。
【００５２】
このような錘１００と錘支持部材２００は、図３に示したように、錘１００の上下方向に貫通された第１連通孔１０１と、錘支持部材２００を貫通して形成される第２連通孔２０２を通過し、上端部に釣糸４００と連結される通し孔５１０を形成した軸棒５００によって相互固定される。
【００５３】
ここで、軸棒５００の下端部には錘１００と錘支持部材２００との締結状態を保持するために折曲された仕上げ部５２０を形成することができる。
【００５４】
一方、本実施例では、錘１００と錘支持部材２００が軸棒５００によって相互連結され、釣糸４００と連結される通し孔５１０は軸棒５００に形成されることで説明している。他の実施例で図示していないが、錘１００と錘支持部材２００とが溶接、融着などのような接合方法によって相互連結され、釣糸４００が連結される別途の通し孔５１０が錘支持部材２００に装着することもできる。
【００５５】
図３に示したように、密着支持溝１１０に固定される前（３２１ｉ）と後（３２１ｆ）の針本体３２０の第１連結部３２１が締結部３１０に対して成す傾斜角度の差θ２は、錘１００の外周面に対して上端部１１１から下端部１１２に行くほど錘１００の内側に向かって傾斜するように形成された密着支持溝１１０が成す傾斜角度θ３より大きいことが望ましい。
【００５６】
これは、針本体３２０の弾性反撥力及び弾性復元力で、密着支持溝１１０に堅固に安着された状態を保持することができるようにするためである。
【００５７】
従って、作業者は針アセンブリー３００の締結部３１０を、図４に示したように、錘支持部材２００の締結溝２１０に向かって狙って、図５に示したように挿入した状態で締結溝２１０に挿入された締結部３１０を回転軸にして針本体３２０を把持し、図５の透明な矢印方向に回転させる。
【００５８】
この時、回転した針本体３２０は錘１００の外周面に接触され、錘１００の外周面に接触された針本体３２０の第１連結部３２１は、図３に示したように、密着支持溝１１０に密着して収容される前（３２１ｉ）と後（３２１ｆ）の弾性変形を許容する挙動を見せながら、図６に示したように、密着支持溝１１０に安着されて支持される。
【００５９】
一方、本発明の他の実施例による釣具は、図７に示したように、前述した一実施例とは異なって、錘支持部材２００には締結溝２１０のそれぞれに挿入される金属材の保護管２５０がさらに備えられ、締結部３１０の外周面は保護管２５０の内周面に密着して固定されるようにしても構わない。
【００６０】
これは、一般的に錘支持部材２００が合成樹脂で形成される点を勘案すれば、突然の外力によって締結部３１０が錘支持部材２００の締結溝２１０から無理矢理に抜けられる場合に、締結溝２１０の周辺が変形及び破損されることを防止するための技術的手段と言える。
【００６１】
一方、本発明のまた他の実施例による釣具は、図８に示したように、前述した実施例とは異なって、錘１００の上面から突出されるネック部１５０を備えた構造の実施例を適用することもできることは勿論である。
【００６２】
即ち、錘支持部材２００は、図示したように、ネック部１５０の上端部に嵌合またはねじ結合または接着結合されることができる。
【００６３】
針アセンブリー３００の結合は弾性材質のキャップ６００によって行われる。
【００６４】
具体的には、キャップ６００はネック部１５０に貫通して結合されて、錘１００の上側を覆う弾性を有する金属材質、ゴム材質で形成されることができる。キャップ６００はネック部１５０に嵌合またはねじ結合または接着結合されることができる。
【００６５】
針アセンブリー３００は、このような錘１００の周りに沿って複数配置され、針アセンブリー３００の上端部、即ち締結部３１０がキャップ６００によって支持され、そこで錘支持部材２００に着脱可能に結合される。
【００６６】
このように、本発明は、錘と錘支持部材の結合部位に沿って等間隔で錘支持部材に着脱可能に結合される複数の針アセンブリーを含む構造を適用することによって、従来の釣具に比べて、岩間や網または海藻類などに釣具がかかっても、複数の針アセンブリーの中で、当該針アセンブリーのみ錘支持部材及び錘から分離されるので、新しい製品の交換による不必要な作業と費用及び時間を節約することができる。
【００６７】
また、本発明は、新しい針アセンブリーを結合させるだけで何回も再使用が可能であるので、原資材の節減の側面で効率的である。
【００６８】
そして、本発明は、針アセンブリーを形成する針部の先端に突出された鉤を備えることによって、頭足類が餌だけ奪取して逃げることと、捕獲されても簡単に体を抜き取って逃走することを防止して、確かな捕獲状態を保持することができるので、漁獲量の増大に役に立つ。
【００６９】
また、本発明は、既存の鉛で形成される錘の代りに、セラミックス、ステンレススチールまたはステンレススチール合金の中の一つまたは一つ以上の組合せで形成されるように製作することによって、耐腐食性も向上させることもできることは勿論、環境にやさしい製品の提供が可能である。
【００７０】
そして、本発明の基本的な技術的思想の範疇内で、当該技術分野における技術者であれば多様な変形及び応用が可能であることは勿論である。
【符号の説明】
【００７１】
１００  錘
１１０  密着支持溝
１５０  ネック部
２００  錘支持部材
２１０  締結溝
３００  針アセンブリー
３１０  締結部
３２０  針本体
３３０  針部
３４０  鉤
５００  軸棒
５１０  通し孔
６００  キャップ
【図１】
2014158459.tif 000003
【図２】
2014158459.tif 000004
【図３】
2014158459.tif 000005
【図４】
2014158459.tif 000006
【図５】
2014158459.tif 000007
【図６】
2014158459.tif 000008
【図７】
2014158459.tif 000009
【図８】
2014158459.tif 000010
【図９】
2014158459.tif 000011